(57)【要約】【課題】  歩行型田植機において、予備苗載台を植付伝動ケース又は後部フレームで支持する構成とすると、修理等のために植付伝動ケース、苗植付装置及び苗載台からなる植付部を取り外すときに、予備苗載台も取り外さなければならず、修理や点検が困難になる。【解決手段】  歩行型田植機において、主伝動ケース（３）からの動力が伝達される植付伝動ケース（７）と、該植付伝動ケース（７）からの動力で駆動し苗取口上の苗を取って圃場に植え付ける苗植付装置（１０）と、前記苗取口に一株分ずつ苗を供給する苗載台（１１）とを設け、前記主伝動ケース（３）から後方に延びるフレームを前部フレーム（６）と後部フレーム（８）とに分割し、前部フレーム（６）に予備苗載台（４５）を支持させて設け、後部フレーム（８）に植付伝動ケース（７）、苗植付装置（１０）、苗載台（１１）及び操縦ハンドル（９）を支持させて設けた。【選択図】        図１
2008306947.tif 000002
【特許請求の範囲】
【請求項１】
機体の前部に配置した主伝動ケース（３）と、該主伝動ケース（３）の左右に配置した走行伝動ケース（４）と、該走行伝動ケース（４）からの動力で駆動する左右各々の車輪（５）と、主伝動ケース（３）からの動力が伝達される植付伝動ケース（７）と、該植付伝動ケース（７）からの動力で駆動し苗取口（２８）上の苗を取って圃場に植え付ける苗植付装置（１０）と、前記苗取口（２８）に一株分ずつ苗を供給する苗載台（１１）とを設け、前記主伝動ケース（３）から後方に延びるフレームを前部フレーム（６）と後部フレーム（８）とに分割し、前部フレーム（６）に予備苗載台（４５）を支持させて設け、後部フレーム（８）に植付伝動ケース（７）、苗植付装置（１０）、苗載台（１１）及び操縦ハンドル（９）を支持させて設けた歩行型の苗移植機。
【請求項２】
植付伝動ケース（７）を後部フレーム（８）の上面に載置して固定した請求項１に記載の歩行型の苗移植機。
【発明の詳細な説明】
【技術分野】
【０００１】
本発明は、歩行型の苗移植機に関する。
【背景技術】
【０００２】
歩行型の苗移植機の一例である歩行型田植機において、機体の前部に配置した主伝動ケースと、該主伝動ケースの左右に配置した走行伝動ケースと、該走行伝動ケースからの動力で駆動する左右各々の車輪と、主伝動ケースからの動力が伝達される植付伝動ケースと、該植付伝動ケースからの動力で駆動し苗取口上の苗を取って圃場に植え付ける苗植付装置と、前記苗取口に一株分ずつ苗を供給する苗載台とを設け、前記主伝動ケースから後方に延びるフレームを前部フレームと前記植付伝動ケースと後部フレームとに分割し、後部フレームに苗植付装置、苗載台及び操縦ハンドルを支持させて設けたものが知られている（特許文献１参照。）。
【特許文献１】特開２００１−２５８３１１号公報
【発明の開示】
【発明が解決しようとする課題】
【０００３】
上記背景技術の構成において、予備苗載台を植付伝動ケース又は後部フレームで支持する構成とすると、修理等のために植付伝動ケース、苗植付装置及び苗載台からなる植付部を取り外すときに、予備苗載台も取り外さなければならず、修理や点検が困難である。
【０００４】
また、上記背景技術によると、修理等のために植付伝動ケースを取り外すとき、後部フレーム及び操縦ハンドルも植付伝動ケースと共に取り外さなければならず、取り外す部分が大掛かりになって修理や点検が困難である。
【課題を解決するための手段】
【０００５】
この発明は、上記課題を解決するべく次のような技術的手段を講じた。
すなわち、請求項１に係る発明は、機体の前部に配置した主伝動ケース（３）と、該主伝動ケース（３）の左右に配置した走行伝動ケース（４）と、該走行伝動ケース（４）からの動力で駆動する左右各々の車輪（５）と、主伝動ケース（３）からの動力が伝達される植付伝動ケース（７）と、該植付伝動ケース（７）からの動力で駆動し苗取口（２８）上の苗を取って圃場に植え付ける苗植付装置（１０）と、前記苗取口（２８）に一株分ずつ苗を供給する苗載台（１１）とを設け、前記主伝動ケース（３）から後方に延びるフレームを前部フレーム（６）と後部フレーム（８）とに分割し、前部フレーム（６）に予備苗載台（４５）を支持させて設け、後部フレーム（８）に植付伝動ケース（７）、苗植付装置（１０）、苗載台（１１）及び操縦ハンドル（９）を支持させて設けた歩行型の苗移植機とした。
【０００６】
従って、この歩行型の苗移植機は、主伝動ケース（３）からの動力が走行伝動ケース（４）を介して左右の車輪（５）へ伝達され、該左右の車輪（５）で走行する。また、主伝動ケース（３）からの動力が植付伝動ケース（７）を介して苗植付装置（１０）へ伝達され、該苗植付装置（１０）で圃場に苗を植え付けていく。そして、修理等のために植付伝動ケース（７）、苗植付装置（１０）、苗載台（１１）及び操縦ハンドル（９）を取り外すとき、予備苗載台（４５）を前部フレーム（６）側に残したまま取り外すことができる。また、修理等のために、主伝動ケース（３）、走行伝動ケース（４）、車輪（５）、前部フレーム（６）及び予備苗載台（４５）を一体で取り外すことができる。
【０００７】
また、請求項２に係る発明は、植付伝動ケース（７）を後部フレーム（８）の上面に載置して固定した請求項１に記載の歩行型の苗移植機とした。
従って、この歩行型の苗移植機は、請求項１に係る歩行型の苗移植機の作用に加えて、修理等のために植付伝動ケース（７）を取り外すとき、植付伝動ケース（７）を上方に持ち上げて、後部フレーム（８）及び操縦ハンドル（９）を取り外すことなく、植付伝動ケース（７）を容易に取り外せる。
【発明の効果】
【０００８】
請求項１に記載の発明によると、修理等のために植付伝動ケース（７）、苗植付装置（１０）、苗載台（１１）及び操縦ハンドル（９）を取り外すとき、予備苗載台（４５）を前部フレーム（６）側に残したまま取り外すことができ、逆に主伝動ケース（３）、走行伝動ケース（４）、車輪（５）、前部フレーム（６）及び予備苗載台（４５）を一体で取り外すこともできるので、取り外し作業が容易に行えて修理や点検が容易になる。
【０００９】
また、請求項２に記載の発明によると、請求項１に記載の発明の効果に加えて、植付伝動ケース（７）を取り外して修理するときには、植付伝動ケース（７）を上方に持ち上げて、後部フレーム（８）及び操縦ハンドル（９）を取り外すことなく、植付伝動ケース（７）を容易に取り外すことができ、修理や点検が容易になる。
【発明を実施するための最良の形態】
【００１０】
この発明の実施の一形態を、以下に説明する。
図１及び図２は、歩行型田植機（１）の全体側面図及び平面図である。この歩行型田植機（１）は、機体の前端部に設けたエンジン（２）と、該エンジン（２）の後側に設けた主伝動ケース（３）と、該主伝動ケース（３）の左右に各々設けた走行支持部材となる走行伝動ケース（４）と、該走行伝動ケース（４）からの動力で駆動する左右各々の走行体となる車輪（５）と、主伝動ケース（３）の後側面から後方に延びる前部フレーム（６）と、前部フレーム（６）の後端に固着され湾曲して斜め後上方に延びる後部フレーム（８）と、後部フレーム（８）の前端部の上面に載置される植付伝動ケース（７）と、前記後部フレーム（８）の後端に取り付けた操縦ハンドル（９）とを備えている。前記植付伝動ケース（７）の下部には複数（４個）の苗植付装置（１０）を取り付け、後部フレーム（８）の前側には該フレーム（８）に左右移動可能に支持される苗載台（１１）を設けている。従って、この歩行型田植機（１）は、走行しながら圃場に同時に４条分の苗を植え付ける４条植えの構成となっている。尚、前記エンジン（２）、主伝動ケース（３）、走行伝動ケース（４）及び車輪（５）等により走行部（走行車体）が構成され、植付伝動ケース（７）、苗植付装置（１０）及び苗載台（１１）等により植付部が構成されている。
【００１１】
前部フレーム（６）の後端に設けた前部フレーム側フランジ（６０）と後部フレーム（８）の前端に設けた後部フレーム側フランジ（６１）とが接触し、両フランジ（６０，６１）が固定用のボルト（６２）及びナット（６３）で互いに固着されて前部フレーム（６）と後部フレーム（８）とが結合して固定された構成となっている。尚、前部フレーム側フランジ（６０）と前部フレーム（６）の基部との間には左右２箇所に前部フレーム側リブ（６４）が固着されており、前部フレーム側フランジ（６０）の強度向上を図っている。また、後部フレーム側フランジ（６１）と後部フレーム（８）の基部の上面との間には左右２箇所に後部フレーム側の第一のリブ（６５）が固着されており、後部フレーム側フランジ（６１）の強度向上を図っている。尚、後部フレーム（８）上には、前記第一のリブ（６５）より後側に位置する第二のリブ（６６）を左右２箇所に設けている。尚、前部フレーム側フランジ（６０）の上端より後部フレーム側フランジ（６１）の上端が上側に突出しており、この突出した部分と植付伝動ケース（７）の後述する中央ケース部（７ａ）の前面との間に固定ボルト（６７）を左右に２本設け、植付伝動ケース（７）が移動しないように固定された構成となっている。
【００１２】
前記植付伝動ケース（７）は、左右中央に位置する中央ケース部（７ａ）と、左右両側に位置する外側ケース部（７ｂ）とを備えている。中央ケース部（７ａ）には後述する左右移動軸（２９）や中央２条の苗植付装置（１０）へ伝動する伝動機構を備え、外側ケース部（７ｂ）には左右各々の最外条の苗植付装置（１０）へ伝動する伝動機構を備えており、植付伝動軸（１５）からの動力は中央ケース部（７ａ）に入力され、該中央ケース部（７ａ）から外側ケース部（７ｂ）に伝動する構成となっている。中央ケース部（７ａ）の底面には後部フレーム（８）の上面に合致する凹み部（６８）を備え、該凹み部（６８）が後部フレーム（８）の上面に接触して後部フレーム（８）上に植付伝動ケース（７）が載置された構成となっている。そして、後部フレーム（８）の前記第一のリブ（６５）の後面が中央ケース部（７ａ）の底部の前面に接触し、前記第二のリブ（６６）の前面が中央ケース部（７ａ）の底部の前面に接触し、植付伝動ケース（７）をしっかりと保持している。
【００１３】
また、機体の下部には圃場面に接触する複数（３個）の接地体となるフロート（１２）を設けており、機体の走行により該フロート（１２）が圃場面を滑走して整地する。フロート（１２）のうち、機体の左右中央のセンターフロート（１２ａ）は左右内側の２条の苗植付装置（１０）の植付位置を整地し、機体の左右両外側のサイドフロート（１２ｂ）は左右外側の各々１条の苗植付装置（１０）の植付位置を整地する。センターフロート（１２ａ）は、前端がサイドフロート（１２ｂ）の前端より前側に位置し、サイドフロート（１２ｂ）より前後長が長く、サイドフロート（１２ｂ）より左右幅が広く、サイドフロート（１２ｂ）より接地面積が広い。尚、センターフロート（１２ａ）及びサイドフロート（１２ｂ）は、側面視で同じ位置に配置された各々の左右方向の回動支点軸（１３）回りに上下に回動自在に支持され、前部が圃場面の凹凸に追従して上下動する構成となっている。
【００１４】
エンジン（２）の出力軸は主伝動ケース（３）内に突入しており、エンジン（２）からの動力が主伝動ケース（３）内に伝達される。主伝動ケース（３）内には、車輪（５）、苗植付装置（１０）及び苗載台（１１）への全ての伝動を断つことができる主クラッチと、該主クラッチからの動力を車輪（５）への伝動経路と苗植付装置（１０）及び苗載台（１１）への伝動経路とに分岐する動力分岐部と、前記苗植付装置（１０）及び苗載台（１１）への伝動経路上において該苗植付装置（１０）及び苗載台（１１）への伝動を断つことができる植付クラッチと、前記車輪（５）への伝動経路上において噛み合うギヤの切替により路上走行用の前進高速状態、植付作業用の前進低速状態、ギヤが噛み合わずに非伝動となる中立状態及び後進状態の４状態に切り替えて変速できる変速部と、該変速部の伝動下手側で左右の車輪（５）への伝動を非伝動状態に切り替えできる左右各々のサイドクラッチとを設けている。従って、前記変速部及びサイドクラッチを介して主伝動ケース（３）から左右に突出する左右各々の走行用伝動軸に伝動される。該走行用伝動軸が走行伝動ケース（４）内に突入しており、走行伝動ケース（４）内でスプロケット及びチェーンにより該走行伝動ケース（４）から左右外側に突出する車軸（１４）に伝動し、車輪（５）が駆動回転する。走行伝動ケース（４）は、前端部に位置する前記走行用伝動軸周りに上下に回動可能に設けられ、後端部に位置する車軸（１４）を上下に移動させて車輪（５）を上下動させる。また、植付クラッチの伝動により、主伝動ケース（３）から後側に延びる植付伝動軸（１５）を介して植付伝動ケース（７）内へ伝動される。
【００１５】
主伝動ケース（３）の左側の側部には油圧ポンプを固着し、主伝動ケース（３）の後部には油圧バルブユニット（６９）を固着し、該油圧バルブユニット（６９）の後側に単動式の油圧昇降シリンダ（１６）を固着している。この油圧昇降シリンダ（１６）は、前後方向に移動する移動部材となるシリンダロッド（１７）を後部に備え、前部フレーム（６）の上方に配置される。従って、油圧バルブユニット（６９）の切替により油圧ポンプからの油圧を油圧昇降シリンダ（１６）へ供給すると、シリンダロッド（１７）が後方へ移動する。また、油圧昇降シリンダ（１６）内の油圧を油圧タンクとなる主伝動ケース（３）内へ戻す状態に切り替えると、機体の自重によりシリンダロッド（１７）が前方へ移動する。従って、油圧昇降シリンダ（１６）及びシリンダロッド（１７）が、アクチュエータとなる。尚、前部フレーム（６）の前端に設けた主伝動ケース固着用フランジ（７０）と前部フレーム（６）の基部との間には左右２箇所に主伝動ケース側リブ（７１）が固着されており、前部フレーム側フランジ（７０）の強度向上を図っている。また、前記主伝動ケース側リブ（７１）は、上方に延設されており、その上端に油圧昇降シリンダ（１６）を固着して支持している。従って、機体側面視で、主伝動ケース（３）、油圧バルブユニット（６９）、油圧昇降シリンダ（１６）、前部フレーム（６）及び主伝動ケース側リブ（７１）等により枠型（ループ状）のフレーム構造が形成され、油圧バルブユニット（６９）及び油圧昇降シリンダ（１６）等の支持強度が向上する。
【００１６】
シリンダロッド（１７）の後側の端部には後側から切り欠いた左右方向に連通する切り欠き溝（１７ａ）を備え、該切り欠き溝（１７ａ）に左右に延びる中継部材となる中継リンク部材（１８）の左右中央部が嵌まるように挿入されている。中継リンク部材（１８）は、プレート状の基部（１８ａ）と左右両端で前記基部（１８ａ）から上方に立ち上がる連結部（１８ｂ）とを備え、左右対称な形状となっている。シリンダロッド（１７）の後側の端部には切り欠き溝（１７ａ）を上下に貫通する連結軸（１９）を設け、該連結軸（１９）が中継リンク部材（１８）の左右中央部に設けた第一の孔（１８ｃ）を貫通してシリンダロッド（１７）と中継リンク部材（１８）とが連結されている。尚、中継リンク部材（１８）の左右中央部の前面（１８ｄ）と切り欠き溝（１７ａ）の底面（１７ｂ）とは、互いに接触する平面となっている。また、第一の孔（１８ｃ）は、連結軸（１９）の軸径よりも大きい孔径に設定され、前後に長い長孔状に形成されている。
【００１７】
中継リンク部材（１８）の連結部（１８ｂ）は、前側部分（１８ｂ−１）と後側部分（１８ｂ−２）とを備え、更に前側部分（１８ｂ−１）と後側部分（１８ｂ−２）とを機体の左右方向外側の端部で繋ぐ接続部分（１８ｂ−３）を備える。前側部分（１８ｂ−１）及び後側部分（１８ｂ−２）は前後に貫通する第二の孔（１８ｂ−４）を備え、該孔（１８ｂ−４）に連結ロッド（２０）の後部が貫通している。従って、中継リンク部材（１８）の左右の連結部（１８ｂ）に左右各々の連結ロッド（２０）が貫通している。連結ロッド（２０）の前端は走行伝動ケース（４）の上側に固着された左右各々のアーム（２１）に連結されている。連結ロッド（２０）の後端の外周には圧縮ばね（２２）を設け、該圧縮ばね（２２）の前側に設けた前側ばね受け板（２３）が連結部（１８ｂ）の後側部分（１８ｂ−２）の後面に接触し、圧縮ばね（２２）の後側に設けた後側ばね受け板（２４）が連結ロッド（２０）に移動しないように締め付けられた固定具となる二重ナット（ダブルナット）（２５）の前面に接触している。従って、車輪（５）の接地荷重を、走行伝動ケース（４）、アーム（２１）、連結ロッド（２０）及び圧縮ばね（２２）等を介して中継リンク部材（１８）が受けている。連結ロッド（２０）の中途部には板状の規制具（２６）を固着しており、該規制具（２６）が連結部（１８ｂ）の前側部分（１８ｂ−１）の前側に位置している。従って、車輪（５）の接地荷重が極めて小さいとき、圧縮ばね（２２）のばね力により規制具（２６）が連結部（１８ｂ）の前側部分（１８ｂ−１）の前面に接触し、車輪（５）が所定以上下動しないように規制している。尚、前側ばね受け板（２３）と連結部（１８ｂ）の後側部分（１８ｂ−２）との互いの接触面及び規制具（２６）と連結部（１８ｂ）の前側部分（１８ｂ−１）との互いの接触面は、平面になっている。また、第二の孔（１８ｂ−４）は、連結ロッド（２０）の軸径よりも大きい孔径に設定されている。
【００１８】
従って、油圧ポンプからの油圧を油圧昇降シリンダ（１６）内へ供給するべく油圧バルブユニット（６９）を切り替えると、シリンダロッド（１７）が後方へ移動し、切り欠き溝（１７ａ）の底面（１７ｂ）で中継リンク部材（１８）の左右中央部の前面（１８ｄ）が後側に押されて中継リンク部材（１８）が後側へ移動し、該中継リンク部材（１８）の左右の連結部（１８ｂ）の後側部分（１８ｂ−２）が圧縮ばね（２２）を介して左右の連結ロッド（２０）を後側に引き、左右のアーム（２１）を後側に回動させることにより左右の走行伝動ケース（４）が下側に回動し、左右の車輪（５）が下動して圃場に対して機体が上昇する。逆に、油圧昇降シリンダ（１６）内の油圧を主伝動ケース（３）内へ戻すべく油圧バルブユニット（６９）を切り替えると、左右の車輪（５）の接地荷重により左右のアーム（２１）、左右の連結ロッド（２０）及び中継リンク部材（１８）等を介してシリンダロッド（１７）が前方へ戻され、左右の車輪（５）が上動して圃場に対して機体が下降する。
【００１９】
また、機体の左右傾斜により接地荷重が左右の車輪（５）で所定以上相違すると、切り欠き溝（１７ａ）の底面（１７ｂ）の左右一方の端を支点に中継リンク部材（１８）が前後に回動して左右の連結部（１８ｂ）が互いに前後反対側に移動し、接地荷重が大きい側の車輪（５）が下動し反対側の車輪（５）が上動し、左右水平姿勢となるよう機体の左右傾斜姿勢が修正される。このとき、連結軸（１９）により、中継リンク部材（１８）がシリンダロッド（１７）の切り欠き溝（１７ａ）から脱落するようなことを防止している。左右の連結ロッド（２０）ひいては左右の連結部（１８ｂ）の間の左右中央位置に対して切り欠き溝（１７ａ）の底面（１７ｂ）の左右端は左右に偏位しているので、左右の車輪（５）の接地荷重の相違が小さいときには、中継リンク部材（１８）が前後に回動せずに中継リンク部材（１８）の接触面となる前面（１８ｄ）と切り欠き溝（１７ａ）の底面（１７ｂ）とが接触した状態が維持され、左右の車輪（５）が相対的に上下動せず、左右の車輪（５）が個別に無闇に上下動することによりかえって機体の左右傾斜姿勢が不安定になるようなことを防止している。また、切り欠き溝（１７ａ）の底面（１７ｂ）の左右端が左右に偏位しているので、中継リンク部材（１８）が前後に回動しても、圧縮ばね（２２）や車輪（５）からの荷重により中継リンク部材（１８）が中継リンク部材（１８）の前面（１８ｄ）と切り欠き溝（１７ａ）の底面（１７ｂ）とが接触する基準の回動位置に戻りやすく、機体の姿勢を安定させることができる。更に、接触面となる切り欠き溝（１７ａ）の底面（１７ｂ）、中継リンク部材（１８）の左右中央部の前面（１８ｄ）、前側ばね受け板（２３）の前面、連結部（１８ｂ）の後側部分（１８ｂ−２）の後面、規制具（２６）の後面及び連結部（１８ｂ）の前側部分（１８ｂ−１）の前面は平面となっているので、中継リンク部材（１８）が回動して中継リンク部材（１８）の左右中央部の前面（１８ｄ）、連結部（１８ｂ）の後側部分（１８ｂ−２）の後面及び連結部（１８ｂ）の前側部分（１８ｂ−１）の前面の角度が変化しようとするのを圧縮ばね（２２）の付勢力により抑えることができ、機体の左右傾斜が圃場の左右傾斜に近づくように促し、機体の左右傾斜姿勢が不安定になるようなことを防止している。また、連結ロッド（２０）の規制具（２６）により、前進側に回転する車輪（５）の駆動反力で該車輪（５）が下動して機体の対地高さや左右傾斜姿勢が不適正になるのを防止している。
【００２０】
尚、二重ナット（２５）を弛めて連結ロッド（２０）における二重ナット（２５）の位置を調節することにより、機体の左右傾斜姿勢を調節することができる。この調節は、左右一方の二重ナット（２５）の位置を調節しても、左右両方の二重ナット（２５）の位置を調節しても良い。この二重ナット（２５）からなる調節部分は機体平面視でボンネットカバー（４３）の外側に位置しているので、作業者はボンネットカバー（４３）が邪魔にならずに上側から二重ナット（２５）の位置調節を容易に行える。
【００２１】
苗植付装置（１０）及び苗載台（１１）は、植付伝動ケース（７）からの動力で作動する。苗載台（１１）は、植付伝動ケース（７）の左右に突出して左右移動する左右移動軸（２９）の左右両端から左右各々の連結部材（３０）を介して支持され、苗受板（２７）に沿って左右往復移動し、苗受板（２７）に設けた各条の苗取口（２８）に一株分ずつ苗を供給する。尚、苗載台（１１）の上部には左右移動用レール（３４）を固着して設けており、該左右移動用レール（３４）が後部フレーム（８）の上部から支持される支持ローラ（３３）に案内されて左右移動可能に支持されている。従って、苗載台（１１）は、下部で苗受板（２７）に左右移動可能に支持され、上部で支持ローラ（３３）に左右移動可能に支持され、植付伝動ケース（７）からの動力で左右移動軸（２９）を介して左右に往復移動する構成となっている。また、苗載台（１１）には、左右移動端で苗取口（２８）側（下側）に苗を移送する各条の苗送りベルト（３５）を備えている。この苗送りベルト（３５）は、植付伝動ケース（７）からの動力で作動し、苗載台（１１）の左右移動端でマット苗を一株分移送して苗を苗取口（２８）へ供給する。
【００２２】
苗植付装置（１０）は、植付伝動ケース（７）の下部に取り付けられ、該植付伝動ケース（７）からの動力で作動するクランク式であり、分離爪（３１）が苗取口（２８）上の苗を掻き取り、掻き取った苗を押出具（３２）が圃場面に向かって押し出して圃場に苗を植え付ける。
【００２３】
操縦ハンドル（９）の前側で且つ苗載台（１１）の後側には、車輪（５）、苗植付装置（１０）及び苗載台（１１）への伝動を断つことができる主クラッチレバー（３６）と、苗植付装置（１０）及び苗載台（１１）への伝動を断ったり油圧昇降シリンダ（１６）を作動させるべく油圧バルブユニットの油路を切り替えたりする植付昇降レバー（３７）とを設けている。前記主クラッチレバー（３６）は、入位置と切位置との２つの操作位置に操作できる構成となっており、主伝動ケース（３）内の主クラッチを操作して伝動状態と非伝動状態とに切り替える。前記植付昇降レバー（３７）は、植付位置、下降位置、中立位置及び上昇位置の４つの操作位置に操作できる構成となっており、主伝動ケース（３）内の植付クラッチを操作して植付伝動軸（１５）を駆動状態と非駆動状態とに切り替えると共に、油圧昇降シリンダ（１６）を作動させて左右の車輪（５）を上下動させる。すなわち、前記植付位置に操作すると、植付クラッチを伝動状態にして苗植付装置（１０）及び苗載台（１１）を作動させると共に、機体の自重で左右の車輪（５）が接地荷重を受けることにより油圧昇降シリンダ（１６）内の油圧を主伝動ケース（３）内に戻して左右の車輪（５）を上動させ、機体を下降させてフロート（１２）が接地状態となる。前記下降位置に操作すると、上述のように機体を下降させた状態で、植付クラッチを非伝動状態にして苗植付装置（１０）及び苗載台（１１）の作動を停止させる。前記中立位置に操作すると、上述のように苗植付装置（１０）及び苗載台（１１）の作動を停止させた状態で、油圧昇降シリンダ（１６）への油路を遮断して油圧昇降シリンダ（１６）の作動を固定し、左右の車輪（５）を任意の上下位置で固定して機体の昇降を停止させる。前記上昇位置に操作すると、上述のように苗植付装置（１０）及び苗載台（１１）の作動を停止させた状態で、油圧昇降シリンダ（１６）内へ油圧を供給して左右の車輪（５）を下動させ、機体を上昇させてフロート（１２）が非接地状態となる。また、センターフロート（１２ａ）の上下動で該センターフロート（１２ａ）の前部に連結されるロッドを介して油圧バルブユニットの油路を切り替える構成となっており、センターフロート（１２ａ）の前部が上動すると油圧昇降シリンダ（１６）内へ油圧を供給して左右の車輪（５）を下動させる構成となっている。従って、植付昇降レバー（３７）が前記植付位置及び下降位置のとき、センターフロート（１２ａ）が圃場面に接地して上下動することにより該センターフロート（１２ａ）が所望の前後姿勢になるよう左右の車輪（５）が上下動し、機体が所定の対地高さとなるよう昇降制御される構成となっている。
【００２４】
具体構成について説明すると、油圧バルブユニット（６９）内の油圧バルブは、ロータリー式のバルブであり、左右方向のスプール軸（７２）を回動させることにより、油路を切り替える構成となっている。前記スプール軸（７２）と一体で回動する油圧操作アーム（７３）を油圧バルブユニット（６９）の右側に設けており、該油圧操作アーム（６９）を図６視で右回りに回動させるにつれて上昇状態、中立状態及び下降状態に油路が切り替わる。この油圧操作アーム（７３）に植付昇降レバー（３７）からの昇降操作ワイヤ（７４）を連結しており、植付昇降レバー（３７）を操作すると昇降操作ワイヤ（７４）を介して油圧操作アーム（７３）が回動操作される構成となっている。油圧操作アーム（７４）の右側にはスプール軸回りに回動自在なフロート上下アーム（７５）を設けており、該フロート上下動アーム（７５）の後端部とセンターフロート（１２ａ）の前部とをフロート上下動ロッド（７６）で連結している。一方、油圧操作アーム（７３）の前端部は、右側に屈曲してフロート上下動アーム（７５）の前端部の下方に位置している。従って、油圧操作アーム（７３）の回動位置に拘らず、センターフロート（１２ａ）の前部が上動すると、フロート上下動ロッド（７６）を介してフロート上下動アーム（７５）が図６視で左回りに回動し、該フロート上下動アーム（７５）の前端部が油圧操作アーム（７３）の前端部を押し下げ、該油圧操作アーム（７３）を図６視で左回りに回動させて上昇状態に切り替える構成となっている。また、植付昇降レバー（３７）が植付位置又は下降位置のとき、センターフロート（１２ａ）の前部が下動すると、フロート上下動ロッド（７６）を介してフロート上下動アーム（７５）が図６視で右回りに回動して該フロート上下動アーム（７５）の前端部が上動するので、該フロート上下動アーム（７５）の前端部に接触して押し下げられていた油圧操作アーム（７３）の前端部も上動し、該油圧操作アーム（７３）を図６視で右回りに回動させて下降状態に切り替える構成となっている。尚、油圧操作アーム（７３）は、スプリング（７７）により、図６視で右回り（下降状態側）に回動する方向に引っ張られている。尚、油圧操作アーム（７３）は、植付昇降レバー（３７）を上昇位置に操作しているとき、昇降操作ワイヤ（７４）に規制されているので、中立状態及び下降状態に回動できないようになっている。同様に、油圧操作アーム（７３）は、植付昇降レバー（３７）を中立位置に操作しているとき、昇降操作ワイヤ（７４）に規制されているので、下降状態に回動できないようになっている。
【００２５】
油圧操作アーム（７３）の上端部には、自動復帰用ロッド（７８）を連結している。尚、前記スプリング（７７）の端部は、前記自動復帰用ロッド（７８）に引っ掛けられている。自動復帰用ロッド（７８）の他端は、シリンダロッド（１７）と共に前後に移動するカラー（７９）に固着した移動体（移動プレート）（８０）を貫通して後方にまで延び、二重のナット（８１）による引っ掛け部分を形成している。従って、油圧操作アーム（７３）が上昇状態に回動してシリンダロッド（１７）が後側に移動し、移動体（８０）に前記二重のナット（８１）が引っ掛かって自動復帰用ロッド（７８）が後方に引かれると、油圧操作アーム（７３）が強制的に中立状態に回動させられ、シリンダロッド（１７）の移動が停止して機体の上昇作動が停止する構成となっている。つまり、シリンダロッド（１７）が移動ストロークにおける後側の移動端まで移動すると、自動的に油路を中立状態に切り替え、油圧ポンプの駆動負荷が増大するのを防止している。尚、自動復帰用ロッド（７８）は、通常の状態では中継リンク部材（１８）の上方に位置している。
【００２６】
よって、自動復帰用ロッド（７８）により、シリンダロッド（１７）の位置に対する油圧操作アーム（７３）の作動タイミングが安定し、油圧操作アーム（７３）の中立状態への自動復帰タイミングの作動精度が向上する。また、修理等のために油圧装置を着脱するとき、主伝動ケース（３）と油圧バルブユニットの結合を外し、主伝動ケース側リブ（７１）と油圧昇降シリンダ（１６）との結合を外し、フロート上下動アーム（７５）、フロート上下動ロッド（７６）との連結を外し、連結軸（１９）を外せば、油圧バルブユニット（６９）、油圧昇降シリンダ（１６）、シリンダロッド（１７）、油圧操作アーム（７３）、フロート上下動アーム（７５）、自動復帰用ロッド（７８）、カラー（７９）からなる油圧装置の主要部を一体で機体から取り外すことができ、調整等の修理を容易に行える。修理として、例えば、自動復帰用ロッド（７８）の二重のナット（８１）の位置を変えて、自動復帰の作動タイミングを調整すること等が考えられる。尚、スプリング（７７）と昇降操作ワイヤ（７４）のアウターの基部は油圧昇降シリンダ（１６）に固着される取付部材に取り付けられているので、スプリング（７７）や昇降操作ワイヤ（７４）を取り外すことなく油圧装置の主要部を着脱できる。
【００２７】
従来は、特開昭６２−２０１５１２号公報に示すように、自動復帰用ロッドを苗植付部を昇降させる昇降リンク機構に連結していたので、自動復帰用ロッドを周辺部材ごと取り外して調整することができず、修理や点検が困難である。
【００２８】
操縦ハンドル（９）及び苗載台（１１）の前側には、主伝動ケース（３）内の変速部を操作するための変速レバー（３８）と、エンジン（２）を始動するためのリコイルノブ（３９）とを設けている。尚、機体の前端部にあるエンジン（２）とリコイルノブ（３９）とは、リコイルロープ（４０）により連結されている。操縦ハンドル（９）の左右のハンドルグリップ（９ａ）の下方には左右各々のサイドクラッチレバー（４１）を設けており、該サイドクラッチレバー（４１）により主伝動ケース（３）内の左右各々のサイドクラッチを操作する構成となっている。操縦ハンドル（９）の斜め前下側で後部フレーム（８）の左側には植付深さ調節レバー（４２）を設けており、該植付深さ調節レバー（４２）の操作により該レバー（４２）と一体回動する左右方向の植付深さ調節軸（５３）を回動し、植付深さ調節軸（５３）と一体回動する各々の植付深さ調節アーム（５４）を介して各フロート（１２）の回動支点軸（１３）の機体に対する上下位置を変更して、苗植付装置（１０）による苗の植付深さを変更して調節できる構成となっている。操縦ハンドル（９）の斜め前下側で後部フレーム（８）の右側には苗取量調節レバー（６５）を設けており、該苗取量調節レバー（６５）の操作により苗受板（２７）の苗植付装置（１０）に対する上下位置を変更して、苗植付装置（１０）による一株当たりの苗取り量を変更して調節できる構成となっている。
【００２９】
エンジン（２）及び主伝動ケース（３）の上方には、ボンネットカバー（４３）を設けている。また、エンジン（２）の上方には、燃料タンク（４４）を設けている。
ボンネットカバー（４３）の後部の上方から植付伝動ケース（７）の前部の上方にわたる位置には、予備の苗を載せる予備苗載台（４５）を設けている。この予備苗載台（４５）は、棒材を組み合わせた枠体で構成され、前部フレーム（６）から上方に延びる予備苗載台支持フレーム（４６）に支持されている。予備苗載台（４５）の前後左右の四方には立ち上がり部（４７、４８）を設けており、該立ち上がり部（４７、４８）により搭載した苗が脱落しないようにしている。予備苗載台（４５）は、長手方向約６０ｃｍ、短手方向約３０ｃｍのマット苗を４枚載置できるように、前後幅が約６０ｃｍで左右幅が約１２０ｃｍの広さになっている。従って、予備苗載台（４５）は、長手方向を前後方向に向けたマット苗を左右に４枚配列して載置できる。また、苗運搬を容易にするためにマット苗を巻いた巻苗（ｒ）の状態で苗を取り扱うことがあるが、この巻苗（ｒ）を予備苗載台（４５）に載置することもできる。このとき、前方の立ち上がり部（４７）が他の三方（右方、左方、後方）の立ち上がり部（４８）より高く設定されており、予備苗載台（４５）に載置した巻苗（ｒ）が転びながら前方に飛び出して脱落しにくいようにしている。これにより、この歩行型田植機（１）は機体の重心が車輪（５）の接地位置より前側に位置するために機体の前後傾斜姿勢が前下がり姿勢になりやすいが、機体が前下がり姿勢になっても巻苗（ｒ）が脱落しにくくなり、植付作業を円滑に行える。特に、機体を上昇させての機体旋回時には機体が大きく前下がり姿勢に変化するが、この機体旋回時の巻苗（ｒ）の脱落を的確に防止できる。尚、前方の立ち上がり部（４７）の高さ（Ｈ）は、予備苗載台（４５）の前後幅（Ｌ）を２πで除した値以上に設定されている。従って、前方の立ち上がり部（４７）の高さ（Ｈ）が巻苗（ｒ）の重心と同一か又は高くなるので、巻苗（ｒ）が前方に脱落しにくくなる。
【００３０】
前記予備苗載台支持フレーム（４６）は、ボンネットカバー（４３）と植付伝動ケース（７）（植付部）との間に配置されている。前部フレーム（６）で予備苗載台支持フレーム（４６）を固定する固定部材（４９）には、ボンネットカバー（４３）の後部を支持するべく斜め前上方に延びるボンネットカバー支持部材（５０）を固着している。これにより、ボンネットカバー支持部材（５０）の支持強度が向上し、ボンネットカバー（４３）を確実にしっかりと支持できる。尚、ボンネットカバー支持部材（５０）を前記固定部材（４９）を介さずに前部フレーム（６）から支持する構成としても、ボンネットカバー支持部材（５０）を固定部材（４９）の近くで支持する構成とすれば、ボンネットカバー支持部材（５０）の支持強度を向上させることができる。また、ボンネットカバー支持部材（５０）を予備苗載台支持フレーム（４６）から支持する構成とすれば、ボンネットカバー支持部材（５０）の支持強度を向上させながら、ボンネットカバー支持部材（５０）を短縮化できてコンパクトにでき、軽量化及びコストダウンが図れる。
【００３１】
機体の前部には、機体の前方の障害物からエンジン（２）、主伝動ケース（３）及びボンネットカバー（４３）等を防護する防護フレーム（５１）を設けている。この防護フレーム（５１）は、主伝動ケース（３）の左右側面から左右外側に延びる左右各々の取付部（５１ａ）と、この左右の取付部（５１ａ）を連結する機体外縁となる防護部（５１ｂ）とを備えている。該防護部（５１ｂ）は、左右中央部分が左右に真直に延びる水平状で最も前側に位置し、左右外側部分が左右外側へいくにつれて後側に位置する構成となっている。また、防護部（５１ｂ）は、左右中央部分が最も上側に位置し、左右外側部分が左右外側へいくにつれて下側に偏位する構成となっている。防護部（５１ｂ）の左右端部には長孔を介してサイドフロート（１２ｂ）の前端を連結し、サイドフロート（１２ｂ）の上下回動範囲を規制している。これにより、サイドフロート（１２ｂ）の支持部材を防護フレーム（５１）で兼用することができ、機体の軽量化及びコストダウンが図れる。同様に、センターフロート（１２ａ）は、その前端が長孔を介して主伝動ケース（３）に連結され、上下回動範囲が規制されている。
【００３２】
機体をトラックの荷台に積み込んで固定するときには、前記防護部（５１ｂ）の左右中央部分の左右両端に各々ロープを掛けると共に、後部フレーム（８）の上部に固着したフック（５２）にロープを掛け、機体の３箇所を固定して荷台にしっかりと固定するようになっている。
【００３３】
以上により、この歩行型田植機（１）において、作業者が操縦ハンドル（９）の左右のハンドルグリップ（９ａ）を把持し、植付昇降レバー（３７）を植付位置に操作して機体を下降させると共に植付部を作動可能な状態にし、主クラッチレバー（３６）を入位置に操作して機体を走行させながら植付部を作動させることにより、圃場に同時に４条分の苗を植え付けていく。圃場の畦際に到達すると、植付昇降レバー（３７）を上昇位置に操作して植付部の作動を停止させると共に機体を上昇させ、旋回内側のサイドクラッチレバー（４１）を操作して旋回内側の車輪（５）のサイドクラッチを断ち、機体を旋回させる。この機体旋回時、植付昇降レバー（３７）の上昇位置への操作で機体が上昇作動するが、所望の高さに機体が上昇したときに植付昇降レバー（３７）を中立位置へ操作すれば、その高さで機体を固定することができ、作業者が機体の旋回操作を容易に行える。以下、同様に植付昇降レバー（３７）を植付位置に操作して次行程の植付作業を行い、圃場に苗の植付を行っていく。尚、路上走行時等は、機体を上昇させ、変速レバー（３８）を適宜操作して走行させる。
【００３４】
そして、この歩行型田植機（１）の走行車体は、左右の車輪（５）と、該車輪（５）を後端部に支持して上下方向に回動する左右各々の走行伝動ケース（４）と、該走行伝動ケース（４）と一体で回動する左右各々のアーム（２１）と、油圧昇降シリンダ（１６）のシリンダロッド（１７）の前後方向の移動に追従して前後に移動する中継リンク部材（１８）と、該中継リンク部材（１８）の左右両端と前記アーム（２１）との間を連結する左右各々の連結ロッド（２０）とを設け、シリンダロッド（１７）が機体後方に向けて移動することにより左右の車輪（５）が下動する構成とし、シリンダロッド（１７）に中継リンク部材（１８）の左右中央部が入り込む切り欠き溝（１７ａ）を設け、シリンダロッド（１７）と中継リンク部材（１８）とを連結する上下方向の連結軸（１９）を設け、該連結軸（１９）が通るシリンダロッド（１７）又は中継リンク部材（１８）に設けた第一の孔（１８ｃ）の孔径を連結軸（１９）の軸径よりも大きく構成し、前記切り欠き溝（１７ａ）の底面（１７ｂ）の左右両端部が中継リンク部材（１８）の前面（１８ｄ）に接触して前記底面（１７ｂ）の後方移動に追従して中継リンク部材（１８）が後方に移動する構成とし、左右の連結ロッド（２０）を中継リンク部材（１８）の左右両端の連結部（１８ｂ）において貫通させ、連結ロッド（２０）が貫通する前記連結部（１８ｂ）に設けた第二の孔（１８ｂ−４）の孔径を連結ロッド（２０）の軸径よりも大きく構成し、連結ロッド（２０）の後端部に設けた固定具となる二重ナット（２５）と前記連結部（１８ｂ）との間に圧縮ばね（２２）を設けた。
【００３５】
従って、この走行車体は、左右の車輪（５）で走行する。そして、油圧昇降シリンダ（１６）のシリンダロッド（１７）が後方に移動すると、切り欠き溝（１７ａ）の底面（１７ｂ）の左右両端部が中継リンク部材（１８）の前面（１８ｄ）に接触して中継リンク部材（１８）が後方に移動し、該中継リンク部材（１８）から圧縮ばね（２２）を介して左右の連結ロッド（２０）が作動し、該連結ロッド（２０）の作動でアーム（２１）を介して左右の走行伝動ケース（４）が下側に回動し、左右の車輪（５）が下側に移動して車体の対地高さが変わる。圧縮ばね（２２）のばね力は車輪（５）が下動する側に作用しているので、左右の車輪（５）の接地荷重に応じて滑らかに車輪（５）を上下動させることができると共に、圧縮ばね（２２）により中継リンク部材（１８）を前側に押圧するので、中継リンク部材（１８）の前面（１８ｄ）をシリンダロッド（１７）の切り欠き溝（１７ａ）の底面（１７ｂ）に安定して接触させることができる。また、連結軸（１９）が通る第一の孔（１８ｃ）の孔径を連結軸（１９）の軸径よりも大きく構成し、連結ロッド（２０）が貫通する第二の孔（１８ｂ−４）の孔径を連結ロッド（２０）の軸径よりも大きく構成したので、車体の左右傾斜で左右の車輪（５）で接地荷重が相違するとき、中継リンク部材（１８）はその前面（１８ｄ）が前記切り欠き溝（１７ａ）の底面（１７ｂ）の左右両端部の何れかを支点に前後に回動し、左右の連結ロッド（２０）が互いに前後反対側に移動し、接地荷重が大きい側の車輪（５）が下動し反対側の車輪（５）が上動し、左右水平姿勢となるよう車体の左右傾斜姿勢が修正される。このとき、切り欠き溝（１７ａ）に中継リンク部材（１８）の左右中央部が入り込んでいるので、中継リンク部材（１８）を切り欠き溝（１７ａ）で案内して適正な方向で前後に回動させることができる。また、左右の車輪（５）の接地荷重の相違が小さいときには、中継リンク部材（１８）が前後に回動せずに中継リンク部材（１８）の前面（１８ｄ）と切り欠き溝（１７ａ）の底面（１７ｂ）の左右両端部とが接触した状態が維持され、左右の車輪（５）が相対的に上下動しない。
【００３６】
よって、左右の車輪（５）の接地荷重に応じて滑らかに車輪（５）を上下動させることができ、車体が不安定になるようなことを防止できると共に、圧縮ばね（２２）により中継リンク部材（１８）の前面（１８ｄ）をシリンダロッド（１７）の切り欠き溝（１７ａ）の底面（１７ｂ）に安定して接触させることができ、車輪（５）の上下動を適正に行え、更に従来のようなシリンダロッドと中継リンク部材との間の圧縮ばねが不要になって車輪（５）の上下動機構の小型化が図れる。また、機体の左右傾斜で左右の車輪（５）で接地荷重が相違するとき、中継リンク部材（１８）が前後に回動して左右の連結ロッド（２０）が互いに前後反対側に移動し、左右水平姿勢となるよう車体の左右傾斜姿勢が修正され、ローリング油圧シリンダのような格別の駆動装置が不要になり、機体の小型化ひいてはコストダウンが図れる。また、左右の車輪（５）の接地荷重に応じて車体の左右傾斜姿勢が修正されるので、車体の左右傾斜姿勢を適正に修正できる。このとき、中継リンク部材（１８）が切り欠き溝（１７ａ）に案内されて適正な方向で前後に回動し、車体の左右傾斜姿勢の修正を適正に行える。更に、左右の車輪（５）の接地荷重の相違が小さいときには、左右の車輪（５）が相対的に上下動しないので、左右の車輪（５）が個別に無闇に上下動することによりかえって車体の左右傾斜姿勢が不安定になるようなことを防止できる。
【００３７】
また、この歩行型田植機（１）は、機体の前部に配置した主伝動ケース（３）と、該主伝動ケース（３）の左右に配置した走行伝動ケース（４）と、該走行伝動ケース（４）からの動力で駆動する左右各々の車輪（５）と、主伝動ケース（３）からの動力が伝達される植付伝動ケース（７）と、該植付伝動ケース（７）からの動力で駆動し苗取口（２８）上の苗を取って圃場に植え付ける苗植付装置（１０）と、前記苗取口（２８）に一株分ずつ苗を供給する苗載台（１１）とを設け、前記主伝動ケース（３）から後方に延びるフレームを前部フレーム（６）と後部フレーム（８）とに分割し、前部フレーム（６）に予備苗載台（４５）を支持させて設け、後部フレーム（８）に植付伝動ケース（７）、苗植付装置（１０）、苗載台（１１）及び操縦ハンドル（９）を支持させて設けている。
【００３８】
従って、この歩行型の苗移植機は、主伝動ケース（３）からの動力が走行伝動ケース（４）を介して左右の車輪（５）へ伝達され、該左右の車輪（５）で走行する。また、主伝動ケース（３）からの動力が植付伝動ケース（７）を介して苗植付装置（１０）へ伝達され、該苗植付装置（１０）で圃場に苗を植え付けていく。そして、修理等のために植付伝動ケース（７）、苗植付装置（１０）、苗載台（１１）及び操縦ハンドル（９）を取り外すとき、予備苗載台（４５）を前部フレーム（６）側に残したまま取り外すことができる。また、修理等のために、主伝動ケース（３）、走行伝動ケース（４）、車輪（５）、前部フレーム（６）及び予備苗載台（４５）を一体で取り外すことができる。よって、取り外し作業が容易に行えて修理や点検が容易になる。
【００３９】
また、この歩行型田植機（１）は、植付伝動ケース（７）を後部フレーム（８）の上面に載置して固定している。従って、修理等のために植付伝動ケース（７）を取り外すとき、植付伝動ケース（７）を上方に持ち上げて、後部フレーム（８）及び操縦ハンドル（９）を取り外すことなく、植付伝動ケース（７）を容易に取り外すことができ、修理や点検が容易になる。
【図面の簡単な説明】
【００４０】
【図１】歩行型田植機を示す側面図
【図２】歩行型田植機を示す平面図
【図３】中継リンク部材を示す断面平面図（ａ：一部の断面側面図）
【図４】予備苗載台を示す側面図
【図５】前部フレームと後部フレームとの結合部分を示す側面図
【図６】油圧装置の主要部を示す側面図
【符号の説明】
【００４１】
１：歩行型田植機、３：主伝動ケース、４：走行伝動ケース、５：車輪、６：前部フレーム、７：植付伝動ケース、８：後部フレーム、９：操縦ハンドル、１０：苗植付装置、１１：苗載台、２８：苗取口、４５：予備苗載台
【図１】
2008306947.tif 000003
【図２】
2008306947.tif 000004
【図３】
2008306947.tif 000005
【図４】
2008306947.tif 000006
【図５】
2008306947.tif 000007
【図６】
2008306947.tif 000008